(57)【要約】【課題】回路基板を安定して保持するとともに、リワークが容易である電気光学装置および電子機器を提供することを目的とする。【解決手段】電気光学パネル７１と、前記電気光学パネル７１とともに回路基板２１を支持する回路基板ホルダー１１とを備え、前記回路基板２１が、前記回路基板ホルダー１１の一面１２ａ上に設けられた複数の基板固定部３１ａ、３１ｂにより前記回路基板ホルダー１１に固定されており、前記基板固定部３１ａ、３１ｂが、前記一面１２ａから突出された突出部３２と、前記突出部３２の前記一面側に傾けて形成された対向部３３と、前記対向部３３から前記回路基板側に突出された突起部３４とを有しており、前記突起部３４が前記回路基板２１の凹部２５に当接していることを特徴とする電気光学装置を用いることによって、上記課題を解決できる。【選択図】図４
2009210763.tif 000002
【特許請求の範囲】
【請求項１】
電気光学パネルと、前記電気光学パネルとともに回路基板を支持する回路基板ホルダーとを備え、
前記回路基板が、前記回路基板ホルダーの一面上に設けられた複数の基板固定部により前記回路基板ホルダーに固定されており、
前記基板固定部が、前記一面から突出された突出部と、前記突出部の前記一面側に傾けて形成された対向部と、前記対向部から前記回路基板側に突出された突起部とを有しており、
前記突起部が前記回路基板の凹部に当接していることを特徴とする電気光学装置。
【請求項２】
前記回路基板に導電部を有し、前記突起部が前記回路基板の凹部に当接されることにより、前記回路基板と前記回路基板ホルダーが電気的に接続されることを特徴とする請求項１に記載の電気光学装置。
【請求項３】
前記回路基板の凹部が貫通孔により形成されていることを特徴とする請求項１または請求項２に記載の電気光学装置。
【請求項４】
前記基板固定部が導電性弾性体からなることを特徴とする請求項１〜３のいずれか１項に記載の電気光学装置。
【請求項５】
前記突出部の内壁面に前記回路基板の側面が当接されることにより、前記回路基板の位置決めがされることを特徴とする請求項１〜４のいずれか１項に記載の電気光学装置。
【請求項６】
前記回路基板の少なくとも一辺側には前記基板固定部が配置されていないことを特徴とする請求項１〜５のいずれか１項に記載の電気光学装置。
【請求項７】
前記回路基板に前記基板固定部を挿通可能の貫通部が設けられており、前記基板固定部の少なくとも１つが前記貫通部内に配置されて前記回路基板を固定していることを特徴とする請求項１〜６のいずれか１項に記載の電気光学装置。
【請求項８】
請求項１〜７のいずれか１項に記載の電気光学装置を備えたことを特徴とする電子機器。
【発明の詳細な説明】
【技術分野】
【０００１】
本発明は、電気光学装置および電子機器に関するものである。
【背景技術】
【０００２】
電気光学装置において、金枠などの回路基板ホルダーに電気光学パネルと回路基板とを取り付けて保持した構造が知られている（特許文献１）。
【０００３】
図１０は、従来の回路基板ホルダーに回路基板を取り付けたときの状態の一例を説明する図であって、図１０（ａ）は平面図であり、図１０（ｂ）は図１０（ａ）のＨ−Ｈ’線における断面図であり、図１０（ｃ）は図１０（ａ）のＩ部における拡大断面図である。
【０００４】
図１０（ａ）に示すように、回路基板１２１は、回路基板ホルダー１１１に搭載され、複数の板バネ１３１、板バネ１３５により、保持固定されている。回路基板１２１の表示制御回路部１２３を有しており、フレキシブル端子部１２４を電気光学パネルと接続することによって、電気光学装置とすることができる。
図１０（ａ）および図１０（ｂ）に示すように、板バネ１３１は、回路基板１２１を押さえつけるように固定しているが、板バネ１３５は、回路基板ホルダー１１１から壁状に突出され、側面１２１ｄを支えるように固定する。
【０００５】
図１０（ｃ）に示すように、板バネ１３１は、断面形状が略逆Ｌ字状であり、突出部１３２と対向部１３３とから形成されている。Ｉ部においては、対向部１３３の回路基板ホルダー側の面１３３ａが、弾性力を利用して、回路基板１２１を押さえつけて、回路基板ホルダー１１１に保持固定する。
また、回路基板１２１の内部にも板バネ用孔部１１９が形成され、そこから引き出された板バネ１３１が回路基板１２１を固定することにより、回路基板ホルダー１１１における回路基板１２１の保持安定性を高めている。
【０００６】
しかしながら、回路基板ホルダー１１１での回路基板１２１の保持安定性を高めるために、多数の板バネ１３１を用いた場合には、回路基板１２１のリワークを行うのが困難となる。
【特許文献１】特開２００６−１６２９２３号公報
【発明の開示】
【発明が解決しようとする課題】
【０００７】
本発明は、上記事情を鑑みてなされたもので、回路基板を安定して保持するとともに、リワークが容易である電気光学装置および電子機器を提供することを目的とする。
【課題を解決するための手段】
【０００８】
上記の目的を達成するために、本発明は以下の構成を採用した。すなわち、
本発明の電気光学装置は、電気光学パネルと、前記電気光学パネルとともに回路基板を支持する回路基板ホルダーとを備え、前記回路基板が、前記回路基板ホルダーの一面上に設けられた複数の基板固定部により前記回路基板ホルダーに固定されており、前記基板固定部が、前記一面から突出された突出部と、前記突出部の前記一面側に傾けて形成された対向部と、前記対向部から前記回路基板側に突出された突起部とを有しており、前記突起部が前記回路基板の凹部に当接していることを特徴とする。
本発明の電気光学装置は、前記回路基板ホルダーに前記回路基板が収容されたときに、前記突起部が前記回路基板の凹部に当接されることにより、前記回路基板が前記回路基板ホルダーに固定される構成なので、回路基板をしっかりと保持することができるとともに、容易に取り外すことができる。また、ネジなどで保持固定する場合に比較して、締めすぎなどの問題が生じない。さらにまた、回路基板ホルダーによって電気光学パネルの後ろに回路基板を重ねて配置できる構成なので、電気光学装置を省スペース化することができる。
【０００９】
本発明の電気光学装置は、前記回路基板に導電部を有し、前記突起部が前記回路基板の凹部に当接されることにより、前記回路基板と前記回路基板ホルダーが電気的に接続されることを特徴とする。
本発明の電気光学装置は、前記回路基板に導電部を有し、前記突起部が前記回路基板の凹部に当接されることにより、前記回路基板と前記回路基板ホルダーが電気的に接続される構成なので、凹部に基板固定部を当接するだけで、容易に外部と導通をとることができ、たとえば、アースとして使用することができる。また、凹部の径を広げて導電部を形成することにより、容易に、電気的接触面積を拡大することができる。
【００１０】
本発明の電気光学装置は、前記回路基板の凹部が貫通孔により形成されていることを特徴とする。
本発明の電気光学装置は、凹部として、回路基板に設けられている貫通孔（スルーホール）をそのまま用いる構成なので、電気光学装置の製造工程を簡略化することができる。
【００１１】
本発明の電気光学装置は、前記基板固定部が導電性弾性体からなることを特徴とする。
本発明の電気光学装置は、前記基板固定部が導電性弾性体からなる構成なので、回路基板２１をしっかりと保持することができるとともに、容易に取り外すことができる。また、回路基板の導電部に対する接点の信頼性も高まる。
【００１２】
本発明の電気光学装置は、前記突出部の内壁面に前記回路基板の側面が当接されることにより、前記回路基板の位置決めがされることを特徴とする。
本発明の電気光学装置は、前記突出部の内壁面に前記回路基板の側面が当接されることにより、前記回路基板の位置決めがされる構成なので、回路基板ホルダーに対する回路基板の位置を正確に決定することができる。
【００１３】
本発明の電気光学装置は、前記回路基板の少なくとも一辺側には前記基板固定部が配置されていないことを特徴とする。
本発明の電気光学装置は、前記回路基板の少なくとも一辺側には前記基板固定部が配置されていない構成なので、回路基板を容易に収容領域に出し入れすることができる。
【００１４】
本発明の電気光学装置は、前記回路基板に前記基板固定部を挿通可能の貫通部が設けられており、前記基板固定部の少なくとも１つが前記貫通部内に配置されて前記回路基板を固定していることを特徴とする。
本発明の電気光学装置は、前記回路基板に前記基板固定部を挿通可能の貫通部が設けられており、前記基板固定部の少なくとも１つが前記貫通部内に配置されて前記回路基板を固定している構成なので、回路基板の配置効率を向上させ、電気光学装置を省スペース化することができる。
【００１５】
本発明の電子機器は、先に記載の電気光学装置を備えたことを特徴とする。
本発明の電子機器は、先に記載の電気光学装置を備えている構成なので、回路基板を安定して保持するとともに、リワークを容易に行うことができる。
【００１６】
上記の構成によれば、回路基板を安定して保持するとともに、リワークが容易である電気光学装置および電子機器を提供できる。
【発明を実施するための最良の形態】
【００１７】
以下、本発明を実施するための形態を説明する。
【００１８】
図１および図２は、本発明の実施形態である電気光学装置の一例を示す図であって、図１は斜視図であり、図２は斜視展開図である。
図１に示すように、本発明の実施形態である電気光学装置１００は、電気光学パネル７１と、バックライトユニット６５と、回路基板ホルダー１１と、回路基板２１と、を有している。
電気光学パネル７１は、表示領域Ｊを有している。また、回路基板２１のフレキシブル端子部２４ａ、２４ｂは、電気光学パネル７１の接続端子部７７ａ、７７ｂに接続されている。
【００１９】
電気光学パネル７１としては、たとえば、２枚のガラス基板に挟持された液晶層を用いた液晶表示パネルを用いることができる。液晶としては、例えば、ＳＴＮ（Ｓｕｐｅｒ  Ｔｗｉｓｔｅｄ  Ｎｅｍａｔｉｃ）型の液晶などを用いることができる。
一方のガラス基板の一面には、ＩＴＯ（Ｉｎｄｕｉｕｍ  Ｔｉｎ  Ｏｘｉｄｅ）の透明導電材料などからなる複数のコモン電極７３が形成されており、他方のガラス基板には、コモン電極７３と垂直なラインとなるように複数のセグメント電極７４が形成されており、その交差部分７５で電圧が印加されて液晶が配向することにより、光の透過／遮断を行うスイッチとして用いることができるようにされている。
なお、必要に応じて、下地層、反射層、着色層、オーバーコート層及び光遮蔽層等をガラス基板に形成することもできる。
【００２０】
２枚のガラス基板の背面側には、バックライトユニット６５が配置されている。バックライトユニット６５は、たとえば、ＬＥＤ（Ｌｉｇｈｔ  Ｅｍｉｔｔｉｎｇ  Ｄｉｏｄｅ）などの光源、プリズムシート、拡散シート、偏光板、導光板および反射シートなどからなる。
【００２１】
フレキシブル端子部２４ａ、２４ｂは、ベース基材の上に配線パターンが形成されて構成されている。ここで、ベース基材は可撓性を有するフイルム状の部材であり、配線パターンは、例えば、銅などから形成されている。
フレキシブル端子部２４ａ、２４ｂの一端側には、複数の接続用端子が形成されており、外部用ＡＣＦ（Ａｎｉｓｏｔｒｏｐｉｃ  ｃｏｎｄｕｃｔｉｖｅ  ｆｉｌｍ）を介して電気光学パネル７１の接続端子部７７ａ、７７ｂに接続されている。
【００２２】
なお、電気光学パネル７１としては、前記構成に代えて、ＴＦＴ回路を形成したガラス基板を用いた液晶表示パネルとしてもよく、また、液晶層の代わりに、有機ＥＬ層を形成したり、電気泳動カプセル層を形成することによって、有機ＥＬパネルまたは電子ペーパーパネルとしてもよい。
【００２３】
図２に示すように、電気光学装置１００は、電気光学パネル７１とバックライトユニット６５と、それらの背面側に配置された回路基板ホルダー１１と、回路基板ホルダー１１の一面１２ａに配置された回路基板２１と、を有する。
電気光学パネル７１とバックライトユニット６５は、回路基板ホルダー１１に設けられた凹部状のパネル収容領域４９に収容される。なお、パネル収容領域４９は、凹部状に限られたものではなく、他の形状であっても構わない。また、電気光学パネル７１がパネル収容領域４９に収容されたときに、回路基板ホルダー１１に電気光学パネル７１が固定される構成を有していても良い。また、回路基板２１は、回路基板ホルダー１１の一面１２ａに回路基板２１の底面２１ｆが接面するように配置される。
このように、回路基板ホルダー１１によって電気光学パネル７１の後ろに回路基板２１を重ねて配置できるので、電気光学装置１００を省スペース化することができる。
【００２４】
図３は、本発明の実施形態である電気光学装置に用いる回路基板ホルダーの一例を示す図であって、図３（ａ）は図２に示す回路基板ホルダー１１を一面１２ａ側から見た平面図であり、図３（ｂ）は図３（ａ）のＡ−Ａ’線における断面図であり、図３（ｃ）は図２（ｂ）のＢ点における拡大断面図である。
【００２５】
図３（ａ）に示すように、回路基板ホルダー１１には、回路基板ホルダー本体１２の一面１２ａ上に配置された複数の基板固定部３１ａ、３１ｂにより、略矩形状の回路基板を収容する収容領域５０が形成されている。
案内側の基板固定部３１ａにより基板出し入れ口５１が形成され、基板出し入れ口５１から収容領域５０に回路基板が収容される。また、収容された回路基板は、つき当て側の基板固定部３１ｂにつきあてられ収容領域５０に保持される。保持された回路基板は、基板出し入れ口５１から出し入れが可能とされている。
【００２６】
このように、回路基板の少なくとも一辺側には基板固定部３１ａ、３１ｂが配置されていないことが好ましい。基板出し入れ口５１を有することにより、回路基板を容易に収容領域５０に出し入れすることができる。少なくとも一辺側には基板固定部３１が配置されていなければよく、２辺側に基板固定部３１ａ、３１ｂが配置されていない構成であってもよい。少なくとも３個の基板固定部３１ａ、３１ｂがあれば、回路基板を安定して保持することができる。
【００２７】
図３（ｂ）および図３（ｃ）に示すように、基板固定部３１ａ、３１ｂは、断面形状が略逆Ｌ字状であり、一面１２ａから突出された突出部３２と、突出部３２の一面１２ａ側に傾けて形成された対向部３３と、対向部３３から回路基板ホルダー本体１２側に突出され、略半球状とされた突起部３４とを備えている。
【００２８】
図４は、本発明の実施形態である電気光学装置に用いる回路基板ホルダーに回路基板を収容したときの状態の一例を示す図であって、図４（ａ）は平面図であり、図４（ｂ）は図４（ａ）のＣ−Ｃ’線における断面図であり、図４（ｃ）は図４（ｂ）のＤ点における拡大断面図である。
【００２９】
図４（ａ）に示すように、回路基板ホルダー本体１２の一面１２ａ上に設けられた収容領域５０に回路基板２１が収容されている。
回路基板２１は、平面視したときに略矩形状とされており、中央部分に表示制御回路２３が形成され、側面２１ｃ側と側面２１ｄ側にそれぞれフレキシブル端子部２４ｂ、２４ａが接続されている。フレキシブル端子部２４ｂ、２４ａを電気光学パネル７１に接続することにより、電気光学パネル７１に各種信号を送信することができる構成とされている。
【００３０】
回路基板２１は、集積回路、抵抗器、コンデンサー等の多数の電子部品を表面に固定し、その部品間を配線で接続することで電子回路を構成する板状の部品であって、たとえば、プリント配線板（ＰＷＢ：Ｐｒｉｎｔｅｄ  ｗｉｒｉｎｇ  ｂｏａｒｄ）、プリント回路板（ＰＣＢ：ｐｒｉｎｔｅｄ  ｃｉｒｃｕｉｔ  ｂｏａｒｄ）などの回路基板である。例えば、液晶駆動用ＩＣは、電気的に接続された配線パターンなどを介して表示画像などに関わる各種の信号を受信して、この信号に応じた駆動信号を生成する。その駆動用信号は接続用端子、外部用ＡＣＦ、外部用端子などを介して、電気光学パネル７１のコモン電極７３およびセグメント電極７４に供給される。なお、フレキシブル端子部２４ｂ、２４ａに液晶駆動用ＩＣなどを実装してもよい。
【００３１】
図４（ｃ）に示すように、案内側の基板固定部３１ａの突出部３２の内壁面３２ａに回路基板２１の側面２１ｃが当接されることにより、回路基板ホルダー１１の１辺側の回路基板２１の位置決めが可能とされている。
同様に、つき当て側の基板固定部３１ｂの突出部３２の内壁面３２ａに回路基板２１の別の側面２１ｂが当接されることにより、回路基板ホルダー１１の別の１辺側の回路基板２１の位置決めが可能とされている。
２辺の位置決めがされることにより、回路基板ホルダー１１に対する回路基板２１の位置を正確に決定することができる。
【００３２】
図４（ｃ）に示すように、回路基板２１の凹部２５の内壁面２５ａを覆うように導電材料が塗布されて、導電部５４が形成されている。導電部５４を介して、外部と導通をとれる構成とされている。
このように、回路基板２１の凹部２５に導電部５４が形成されていることが好ましい。
回路基板２１の凹部２５に導電部５４が形成されることにより、凹部２５に突起部３４を当接するだけで、容易に、外部と導通をとることができ、たとえば、アースとして使用することができる。また、凹部２５の径を広げて導電部５４を形成することにより、容易に、突起部３４と凹部２５の電気的接触面積を拡大することができる。
【００３３】
図４（ｂ）に示すように、回路基板２１の側面２１ａ、２１ｃ側は、基板固定部３１ａ、３１ｂの対向部３３と回路基板ホルダー本体１２との間に挟まれている。基板固定部３１は弾性を有する材料からなり、回路基板ホルダー本体１２に回路基板２１を押さえつけて、しっかりと保持固定している。
【００３４】
このように、基板固定部３１は導電性弾性体からなることが好ましい。
基板固定部３１ａ、３１ｂが弾性体からなることにより、回路基板２１が収容領域５０に収容されたときに、突起部３４が回路基板２１の凹部２５に当接されて、回路基板２１が回路基板ホルダー１１に固定されるので、回路基板２１をしっかりと保持することができるとともに、容易に取り外すことができる。また、ネジなどで保持固定する場合に比較して、締めすぎなどの問題が生じない。
また、基板固定部３１ａ、３１ｂが導電性であることにより、導電部５４を介して、外部と導通をとることができ、たとえば、アースとして使用することができる。
なお、導電性弾性体としては、金属または導電性ゴムなどを挙げることができる。
【００３５】
さらに、図４（ｃ）に示すように、基板固定部３１ａ、３１ｂの突起部３４は、回路基板２１に設けられた貫通孔からなる凹部２５に当接されている。
回路基板２１が収容領域５０に収容されたときに、回路基板２１の側面２１ｄを除く他の側面２１ａ、２１ｂ、２１ｃは、複数の基板固定部３１ａ、３１ｂにより保持固定される。さらに、突起部３４が回路基板２１の凹部２５に当接されることにより、回路基板２１が回路基板ホルダー１１に安定して固定される。
【００３６】
凹部２５は、突起部３４を当接させて保持固定できる凹部状の開口部を有していればよく、回路基板２１に設けられている貫通孔（スルーホール）をそのまま用いてもよい。
凹部２５として、回路基板２１に設けられている貫通孔（スルーホール）をそのまま用いることにより、電気光学装置１００の製造工程を簡略化することができる。
また、貫通孔（スルーホール）の孔径を拡大して凹部２５を形成することにより、凹部２５に突起部３４を当接させたときの保持安定性を高めることができる。さらに、電気的接触面積を拡大することができる。
また、回路基板２１に設けられている貫通孔（スルーホール）をそのまま用いるのではなく、新たに貫通孔あるいは凹部を形成して凹部２５としても良い。さらにまた、孔の形状を変形して形成しても良い。
【００３７】
図５は、突起部３４の別の例を示す図であって、図５（ａ）は円錐状であり、図５（ｂ）は四角錐状であり、図５（ｃ）は六面体形状である。
このように、突起部３４の形状は半球状に限定されるものではなく、略半球状、略円錐状、略多角錐状、略多面体状のいずれかであってもよい。このような形状であれば、回路基板２１の凹部２５に嵌合して、回路基板２１の位置ずれを生じないようにすることができる。
たとえば、四角形の凹部２５と、の四角錐状または六面体形状の突起部３４とを組み合わせて用いることで、保持性を向上させるとともに、突起部３４と凹部２５の接触面積を大きくすることができる。
【００３８】
また、一つの基板固定部３１ａ、３１ｂに形成する突起部３４の数も、特に限定されず、複数の突起部３４を形成しても良い。たとえば、突起部３４の数を２つにして、それらがそれぞれ２つの凹部２５に嵌合されるようにしてもよい。このようにすることにより、凹部２５に突起部３４を嵌合させたときの保持安定性を高めることができる。
【００３９】
図６は、基板固定部３１ａの別の例を示す図であって、図６（ａ）は、断面形状が三角形状になるようにされた対向部を用いた場合であり、図６（ｂ）は突出部の側面に突起部が形成され、回路基板の側面に形成された凹部に当接された場合である。
このような構成としても、突起部３４が回路基板２１の凹部２５に当接されることにより、回路基板２１を回路基板ホルダー１１に固定することができるとともに、容易に取り外しを行うことができる。また、外部と導通をとることができ、たとえば、アースとして使用することができる。
【００４０】
図７は、本発明の実施形態である電気光学装置に用いる回路基板ホルダーに回路基板を収容する方法の一例を説明する図である。
本発明の実施形態である電気光学装置に用いる回路基板ホルダーに回路基板を収容する方法は、回路基板に設けられた貫通孔（スルーホール）のいくつかの孔径を拡大する工程と、前記導電部を形成する工程と、前記回路基板を先に記載の回路基板ホルダーに収容する工程と、を有する。
【００４１】
（孔径を拡大する工程）
まず、図７（ａ）に示すように、回路基板２１を用意する。回路基板２１の側面２１ａ、２１ｃ側に貫通孔（スルーホール）５２が設けられている。この貫通孔（スルーホール）５２は回路基板２１に通常設けられているものである。
次に、図７（ｂ）に示すように、貫通孔（スルーホール）５２の孔径を拡大し、凹部２５を形成する。凹部２５の孔の形状および孔径は、基板固定部３１ａ、３１ｂの突起部３４の形状および大きさを考慮するとともに、導電材料の塗布膜厚を考慮して、適宜設定する。
貫通孔（スルーホール）５２の孔径を拡大する方法は、特に限定されるものではなく、通常使用する方法を利用することができ、たとえば、ドリルを用いて孔径の拡大を行うことができる。
【００４２】
（導電部を形成する工程）
次に、図７（ｃ）に示すように、凹部２５の内壁面２５ａを覆うように導電材料を塗布して、導電部５４を形成する。なお、導電部５４は凹部２５からはみ出て、回路基板２１の両面に形成されてもよい。また、導電部５４の膜厚も、特に限定されず、任意に設定することができる。
導電材料としては、通常使用される材料を用いることができ、金属、合金材料などを挙げることができる。また、導電材料の塗布方法としては、金属メッキなどのウェットプロセスのほか、蒸着などのドライプロセスなどを挙げることができる。
【００４３】
（回路基板を回路基板ホルダーに収容する工程）
次に、図７（ｄ）に示すように、回路基板２１を回路基板ホルダー１１の収容領域５０に収容する。
図７（ｄ）に示すように、基板固定部３１ａ、３１ｂの突起部３４は、回路基板２１に設けられた凹部２５に当接されている。凹部２５の内壁面２５ａには導電部５４が形成されており、突起部３４は導電部５４に接続される。そのため、回路基板ホルダー１１をアースすることにより、導電部５４をアースとして用いることができる。
【００４４】
図８は、本発明の実施形態である電気光学装置に用いる回路基板ホルダーに回路基板を収容したときの状態の別の一例を示す図であって、図８（ａ）は本発明の実施形態である電気光学装置に用いる回路基板ホルダー１４の平面図であり、図８（ｂ）は図８（ａ）のＥ−Ｅ’線における断面図であり、図８（ｃ）は図８（ａ）のＦ−Ｆ’線における拡大断面図である。
図８に示すように、回路基板２１に基板固定部３１ｃを挿通可能の貫通部１９が設けられるとともに、回路基板２１の２つの側面２１ａおよび２１ｃに接するように形成されていた基板固定部３１ａの代わりに、基板固定部３１ｃが貫通部１９内に配置されて回路基板２１を固定しているほかは、実施形態１と同様の構成とされている。
【００４５】
このような構成としても、突起部３４が回路基板２１の凹部２５に当接されることにより、回路基板２１を回路基板ホルダー１４に固定することができるとともに、容易に取り外しを行うことができる。また、回路基板２１を保持する基板固定部３１ｃが貫通部１９内に配置されるので、回路基板２１の配置効率が向上され、電気光学装置１００を省スペース化することができる。
【００４６】
「電子機器」
次に、電子機器について説明する。電子機器としては、具体的には、携帯電話機、パーソナルコンピュータ、液晶表示装置が搭載されたタッチパネル、プロジェクタ、液晶テレビ、ビューファインダ型またはモニタ直視型のビデオテープレコーダ、カーナビゲーション、ページャ、電子手帳、電卓、ワードプロセッサ、ワークステーション、テレビ電話、ＰＯＳ端末等が挙げられる。
【００４７】
図９（ａ）は、携帯電話の一例を示した斜視図である。図９（ａ）において、６００は携帯電話本体を示し、６０１は液晶表示部を示している。この携帯電話本体６００には、図１に示した電気光学装置１００が備えられている。
図９（ｂ）は、ワープロ、パソコンなどの携帯型情報処理装置の一例を示した斜視図である。図９（ｂ）において、７００は情報処理装置、７０１はキーボードなどの入力部、７０３は情報処理本体、７０２は液晶表示部を示している。この情報処理本体７０３には、図１に示した電気光学装置１００が備えられている。
図９（ｃ）は、腕時計型電子機器の一例を示した斜視図である。図９（ｃ）において、８００は時計本体を示し、８０１は液晶表示部を示している。この時計本体８００には、図１に示した電気光学装置１００が備えられている。
【００４８】
なお、本発明の電気光学装置及び電子機器は、上述した例に限定されるものではなく、本発明の要旨を逸脱しない範囲において種々変更を加え得ることは勿論である。また、本発明の要旨を逸脱しない範囲において、上述した各実施形態や変形例を組み合わせても良い。
【００４９】
以上、好ましい実施形態を上げて本発明を説明したが、本発明は上述したいずれの実施形態にも限定されず、本発明の技術思想の範囲内で適宜変更して実施できる。
【図面の簡単な説明】
【００５０】
【図１】本発明の電気光学装置を示す斜視図である。
【図２】本発明の電気光学装置を示す斜視展開図である。
【図３】本発明の電気光学装置の回路基板ホルダーを示す図であって、（ａ）は平面図であり、（ｂ）は断面図であり、（ｃ）は拡大断面図である。
【図４】本発明の電気光学装置の回路基板ホルダーに回路基板を収容したときの状態を示す図であって、（ａ）は平面図であり、（ｂ）は断面図であり、（ｃ）は拡大断面図である。
【図５】本発明の電気光学装置の回路基板ホルダーの基板固定部を示す図である。
【図６】本発明の電気光学装置の回路基板ホルダーの基板固定部の突起部を示す斜視図である。る。
【図７】本発明の電気光学装置の回路基板ホルダーに回路基板を収容する工程を示す図である。
【図８】本発明の電気光学装置の回路基板ホルダーに回路基板を収容したときの状態を示す図であって、（ａ）は平面図であり、（ｂ）は断面図であり、（ｃ）は拡大断面図である。
【図９】本発明の電子機器を示す図である。
【図１０】従来の回路基板ホルダーに回路基板を収容したときの状態を示す図であって、（ａ）は平面図であり、（ｂ）は断面図であり、（ｃ）は拡大断面図である。
【符号の説明】
【００５１】
１１、１４…回路基板ホルダー、１２…回路基板ホルダー本体、１２ａ…一面（背面）、１９…貫通部、２１…回路基板、２１ａ、２１ｂ、２１ｃ、２１ｄ…側面、２１ｆ…底面、２３…表示制御回路部、２４ａ、２４ｂ…フレキシブル端子部、２５…凹部、２５ａ…内壁面、３１ａ、３１ｂ…基板固定部、３２…突出部、３２ａ…内壁面、３３…対向部、３４…突起部、４９…パネル収容領域、５０…収容領域、５１…基板出し入れ口、５２…貫通孔（スルーホール）、５４…導電部、６５…バックライトユニット、７１…電気光学パネル、７１ａ…背面、７３…コモン電極、７４…セグメント電極、７５…交差部分、７７ａ、７７ｂ…接続端子部、１００…電気光学装置、１１１…回路基板ホルダー、１１２…回路基板ホルダー本体、１１２ａ…一面、１１９…板バネ用孔部、１２１…回路基板、１２１ｄ…側面、１２３…表示制御回路部、１２４ａ、１２４ｂ…フレキシブル端子部、１３１、１３５…板バネ、１３３…対向部、１３３ａ…回路基板ホルダー側の面、６００…携帯電話本体、６０１…液晶表示部、７００…情報処理装置、７０１…入力部、７０３…情報処理本体、７０２…液晶表示部、８００…時計本体、８０１…液晶表示部、Ｊ…表示領域。
【図１】
2009210763.tif 000003
【図２】
2009210763.tif 000004
【図３】
2009210763.tif 000005
【図４】
2009210763.tif 000006
【図５】
2009210763.tif 000007
【図６】
2009210763.tif 000008
【図７】
2009210763.tif 000009
【図８】
2009210763.tif 000010
【図９】
2009210763.tif 000011
【図１０】
2009210763.tif 000012